(57)【要約】【課題】外部との配線が不要且つ水場での使用が可能な情報処理装置を提供する。【解決手段】本発明の情報処理装置１は、入力装置としてのタッチパネル３を有する防滴型のコンピュータ２と、前記コンピュータ２と外部サーバとの間の無線通信を行う無線通信手段４と、前記コンピュータ２及び前記無線通信手段４に電力を供給する電源装置５と、前記コンピュータ２、前記無線通信手段４及び前記電源装置５を収容し且つ一端が外部に通じる通気路４７を有する筺体８と、前記通気路４７の他端に取り付けられ且つ前記電源装置５から電力が供給される換気手段１０，１１と、を備え、前記通気路４７が、前記一端から前記他端に至る間に、下から上へと延びる縦方向部４８を含んでいる。【選択図】図１
2007310771.tif 000002
【特許請求の範囲】
【請求項１】
入力装置としてのタッチパネルを有する防滴型のコンピュータと、前記コンピュータと外部サーバとの間の無線通信を行う無線通信手段と、前記コンピュータ及び前記無線通信手段に電力を供給する電源装置と、前記コンピュータ、前記無線通信手段及び前記電源装置を収容し且つ一端が外部に通じる通気路を有する筺体と、前記通気路の他端に取り付けられ且つ前記電源装置から電力が供給される換気手段と、を備え、前記通気路が、前記一端から前記他端に至る間に、下から上へと延びる縦方向部を含んでいること特徴とする情報処理装置。  
【請求項２】
前記筺体の内部を前記コンピュータ、前記無線通信手段及び前記電源装置が収容された主室と前記通気路を有する副室とに区切り、前記換気手段を前記主室と前記副室との間に取り付け、副室側面の前記換気手段の中心よりも下方に前記筺体の外部に通じる通気口を設けることにより、前記縦方向部を形成していることを特徴とする請求項１に記載の情報処理装置。
【請求項３】
前記通気口が前記副室側面に設けられた水平に延びる細長い穴であり、前記副室側面の前記通気口の下の部分から前記副室の内方に曲がって上へ延びる内延部が、前記縦方向部として形成されていることを特徴とする請求項２に記載の情報処理装置。
【請求項４】
前記副室の上部に、前記副室の内部に収納可能な、前記情報処理装置を運搬するための取手が取り付けられていることを特徴とする請求項２又は３に記載の情報処理装置。
【発明の詳細な説明】
【技術分野】
【０００１】
本発明は、プールや温浴施設等の水場に設置可能な情報処理装置に関する。
【背景技術】
【０００２】
近年のプールや温浴施設における水中運動（水中エクササイズ）の人気の高まりに伴い、水中エクササイズにおける、コンピュータを使用した個別指導の需要が高まってきている。このコンピュータを使用した水中エクササイズの個別指導は、プールサイド等の水場において行われるため、水場にモニタ等の入出力装置を設置することが必要である。入出力装置を水場に設置する場合、その電力は、外部電源に電源ケーブルを接続することによって供給されている。また、水場は高温多湿であってコンピュータには不適な環境であるため、入出力装置のみ水場に設置し、一方、コンピュータ本体は外部に設置し、両者をＬＡＮケーブルで接続するという手法がとられている（例えば、特許文献１参照）。
【０００３】
【特許文献１】特開２００４−５４８２６号公報
【発明の開示】
【発明が解決しようとする課題】
【０００４】
しかし、電源ケーブルやＬＡＮケーブルをプールサイドのフロア上に這わせることは、安全上の問題から好ましくなく、これらのケーブルはフロアの内部に埋め込まれている。このため、フロアの内部に配管を通す大規模な工事が必要であり、費用や時間がかかるという問題があった。また、一旦設置すると、その配線により制約を受け、入出力装置を自由に移動することも困難であった。
【０００５】
そこで、本発明は、外部との配線が不要且つ水場での使用が可能な情報処理装置を提供することを目的とする。
【課題を解決するための手段】
【０００６】
本発明は、入力装置としてのタッチパネル（３）を有する防滴型のコンピュータ（２）と、前記コンピュータ（２）と外部サーバとの間の無線通信を行う無線通信手段（４）と、前記コンピュータ（２）及び前記無線通信手段（４）に電力を供給する電源装置（５）と、前記コンピュータ（２）、前記無線通信手段（４）及び前記電源装置（５）を収容し且つ一端が外部に通じる通気路（４７）を有する筺体（８）と、前記通気路（４７）の他端に取り付けられ且つ前記電源装置（５）から電力が供給される換気手段（１０，１１）と、を備え、前記通気路（４７）が、前記一端から前記他端に至る間に、下から上へと延びる縦方向部（４８）を含んでいる情報処理装置（１）を提供することにより上記課題を解決する。
【０００７】
この情報処理装置によれば、筺体内に収容されたコンピュータ、無線通信手段及び電源装置並びに筺体の通気路に取り付けられた換気手段の全てを駆動する電力が、筺体内部の電源装置によって供給されている。また、外部との通信は無線通信手段によって無線で行うことができる。したがって、外部から電力を供給するための配線や、外部との情報のやり取りを行うためのＬＡＮケーブル等が不要である。また、コンピュータが防滴型であるため水場での使用に適する。更に筺体に、外部へと通じる一端から換気手段へと通じる他端に至る間に、下から上へと延びる縦方向部を含む通気路が設けられているため、筺体に水がかかるような場合であっても、換気手段まで水が到達する可能性が低く、水が筺体内部へ浸入しにくい。
【０００８】
また、本発明の一形態の情報処理装置（１）において、前記筺体（８）の内部を、前記コンピュータ（２）、前記無線通信手段（４）及び前記電源装置（５）が収容された主室（６）と前記通気路（４７）が設けられた副室（７）とに区切り、前記換気手段（１０，１１）を前記主室（６）と前記副室（７）との間に取り付け、副室側面（４２）の、前記換気手段（１０，１１）の中心よりも下方に前記筺体の外部に通じる通気口（４３）を設けることにより前記縦方向部（４８）を形成してもよい。これによると、通気口から流入した空気は、換気手段によって吸引され、下から上に向かって上昇して主室内に入り込む。したがって、外部から筺体に水がかかるような場合であっても、換気手段まで水が到達する可能性が低く、水が筺体内部に浸入しにくい。
【０００９】
また、本発明の情報処理装置の一形態において前記通気口（４３）は前記副室側面（４２）に設けられた水平に延びる細長い穴であり、前記副室側面（４２）の前記通気口（４３）の下の部分（４４）から前記副室（７）の内方に曲がって上へ延びる内延部（４６）を、前記縦方向部（４８）として形成してもよい。これによると、筺体の側方から水がかかった場合に、この内延部に水が衝突して、壁面に沿って筺体外部に流れ出るため、副室の内部への水の浸入が防止できる。
【００１０】
更に、本発明の情報処理装置の一形態において、前記副室（８）の上部に、前記副室（７）内部に収納可能な、前記情報処理装置（１）を運搬するための取手（５３）を取り付けることもできる。これによると、情報処理装置の運搬が容易で、また不使用時には取手を収納することができる。
【００１１】
なお、以上の説明では本発明の理解を容易にするために添付図面の参照符号を括弧書きにて付記したが、それにより本発明が図示の形態に限定されるものではない。
【発明の効果】
【００１２】
本発明の情報処理装置によれば、電力を外部から供給するための配線や、外部との情報のやり取りを行うためのＬＡＮケーブル等が不要である。ゆえに、配線の制約を受けることなく情報処理装置を所望の場所に運搬することができ、情報処理装置をより手軽に利用することができる。そして、ユーザが配線に引っかかったりすることもない。また、筺体に水がかかっても内部に水が浸入しにくい構造であるため、水場での使用にも適する。
【発明を実施するための最良の形態】
【００１３】
図１は本発明の情報処理装置１の前方から見た斜視図、図２は後方から見た斜視図である。図１又は２に示したように、本形態の情報処理装置１は、防滴型のパネルＰＣ２を備え、このパネルＰＣ２は、入力装置としてのタッチパネルとしても機能するモニタ３と、図示しないＣＰＵ及び記憶装置とを内蔵している。また、情報処理装置１は更に、パネルＰＣ２と外部サーバとの間で無線通信を行う無線通信手段４と、これらのパネルＰＣ２及び無線通信手段４に電力を供給する電源装置としてのバッテリー５とを備える。そして、これらのパネルＰＣ２、無線通信手段４及びバッテリー５は、主室６と副室７とを備える筺体８に収容されている。主室６は更に主室上部６Ａと主室下部６Ｂとに分けられ、パネルＰＣ２及び無線通信手段４は主室上部６Ａに配置され、バッテリー５は主室下部６Ｂに配置されている。また、副室７は主室上部６Ａの後部に設けられ、副室７と主室上部６Ａとの間の内壁９には、換気手段である吸気ファン１０及び排気ファン１１が取り付けられている。
【００１４】
パネルＰＣ２は、上述のように防滴型であってＣＰＵ及び記憶装置等を含み、各種の情報の処理に必要な演算を実行するものである。また、記憶装置には、エクササイズの手順又は方法を提示する教習指示用のプログラムが複数インストールされており、後述するサーバから送信されるユーザ毎の情報に基づいて適切なプログラムが選択される。なお、パネルＰＣ２としては、これに限定されるものではないが、例えば、使用周囲湿度１０〜８５％ＲＨで使用可能なプロフェイス製のＰＳ３７０１Ａ等の防滴型コンピュータが好ましい。
【００１５】
また、パネルＰＣ２に内蔵されているモニタ３は、液晶ディスプレイであって、ユーザが、タッチパネルに表示された所定の接触位置に触れると、その位置に応じた信号がパネルＰＣ２に入力され、教習指示用のプログラム等の必要な情報が表示されるものである。なお、本形態ではモニタとして液晶ディスプレイを用いるが、これに限定されず、ＬＥＤ（発光ダイオード）、ＥＬ（Electro  Luminescence)、ＶＦＤ（蛍光表示管)、ＰＤＰ（プラズマディスプレイパネル）等の他のディスプレイであってもよい。更に、フラットパネルが重量やスペース的に好ましいが、これに限定されずブラウン管のモニタを使用することもできる。
【００１６】
図３は主室上部６ＡにパネルＰＣ２を取り付ける前の状態を示したもので、パネルＰＣ２の前面２０は、パネルＰＣ２の側面２１で形成される矩形の空間の断面よりもやや大きく、前面２０の外周には、側面２１から外方に延びる外延部２２が設けられている。そして側面２１の上下にはそれぞれ３つ、左右にはそれぞれ１つ、合計８つの固定具取付溝２３が設けられている。一方、主室上部６Ａの前面２６には、矩形の開口部２８が設けられ、パネルＰＣ２を開口部２８から図中矢印Ｘの方向に挿入すると、パネルＰＣ２の前面２０の外延部２２は、開口部２８より大きいため主室上部６Ａの内部に入らずに外部に残り、他の部分が内部に入った状態となる。
【００１７】
図４は、主室上部６ＡとパネルＰＣ２との固定方法を示した図であり、上述のように、パネルＰＣ２を主室上部６Ａに挿入した状態で、取付ねじ２９が中央部に挿入された固定具３０を、パネルＰＣ２の側面２１の固定具取付溝２３に差し込む。そして、その取付ねじ２９を回転して図中矢印Ｙの方向に進めることによって、ねじ頭と外延部２２との間に主室上部６Ａの前面２６を挟み込み、主室上部６ＡとパネルＰＣ２と固定する。
【００１８】
図１及び図２に戻り、情報処理装置１の無線通信手段４は、無線ＬＡＮモジュール３１と、無線ＬＡＮモジュール３１と外部のサーバとの情報の伝達を行うアンテナ３２とを備える。無線ＬＡＮモジュール３１は、主室上部６Ａの内側面に固定され、アンテナ３２は、主室上部６Ａの上部から突き出している。
【００１９】
主室下部６Ｂに固定されているバッテリー５は、コンピュータにＤＣ２４Ｖを供給するために充電可能で比較的安価な鉛バッテリーを使用するが、これに限定されず、他のいかなるバッテリーであってもよい。また、図２に示したように、主室下部の後面３３には、この鉛バッテリー５の充電口３５が設けられ、また同様に後面３３には、開閉自在の扉３６が設けられ、この扉３６の内部には、バッテリー５の残量表示部３７と、電源スイッチ３８と、電源ＯＮ／ＯＦＦの表示ランプ３９が設けられている。
【００２０】
また、本形態では、図１に示したように、主室下部前面３３に更にＩＤタグリーダ４０を備え、各ユーザが保持する、例えばリストバンド等のＩＤをこのＩＤタグリーダ４０にかざすと、ＩＤ情報がパネルＰＣ２に入力されるようになっている。
【００２１】
なお、図２に示したように、主室上部６Ａと副室７との間の内壁９に取り付けられた吸気ファン１０は、副室７から筺体７内部への空気の流れを生じるように取り付けられたファンであり、排気ファン１１は、筺体７内部から副室７への空気の流れを生じるように取り付けられたファンである。
【００２２】
図５は、主室上部６Ａ及び副室７の、吸気ファン１０を含む平面での概略断面図である。図５及び図２に示したように、副室７の後部側面４２には水平に延びる細長い穴である通気口４３が設けられている。この通気口４３の下の部分４４は、一旦内方に曲がった後、更に上方に延び、所定の高さで切断されて内延部４５を形成している。一方、穴の上の部分４６は、垂直下方に向かって延びて内延部４５の上端よりも低い位置で水平に切断されている。そして、この内延部４５によって筺体７の外部から吸気ファン１０までの、下から上へと延びる縦方向部４８を含む通気路４７が形成されている。
【００２３】
また、図２に示したように、副室７の上部は、コの字状に窪んでおり、その窪み５２には取手５３が取り付けられている。この取手５３は、窪み５２から副室７内部に向かって形成された収納部５４に収納可能になっている。
【００２４】
なお、主室下部６Ｂの底面の前側には２本の脚部６０が取り付けられており、また底部の後側には左右に２つのキャスター６１が取り付けられている。
【００２５】
次に、本形態の情報処理装置１の使用方法について説明する。まず、取手５３を副室７より引き出して情報処理装置１全体を後方側に傾け、全重さをキャスター６１にかけ、取手５３を引いて情報処理装置１を所望の位置、例えばプールサイド等の水場に運搬する。この際、このキャスター６１が取り付けられているため情報処理装置１を容易に移動することができる。所望の場所に到達したら情報処理装置１を水平に配置する。そうすることによって、情報処理装置１は前の２本の脚部６０によって支えられ、キャスター６１によって滑らないようになる。そして取手５３を副室７の収納部５４に収納することにより取手５３が邪魔になることなく収容される。次に、主室下部後面３３の後方の扉３６を開けて電源スイッチ３８をＯＮにすると、表示ランプ３９が点灯し、モニタ３の画面が表示される。なお、残量表示部３７を確認してバッテリー５の残量が少ない場合は、充電口３５より充電を行う。
【００２６】
図６は本形態の情報処理装置を使用したシステムの構成図であり、電源が入り、モニタ３が表示された状態で、例えばユーザがフロント等で受け取ったリストバンド８０のＩＤ部をＩＤタグリーダ４０にかざす。そうすると、このＩＤ情報がパネルＰＣ２に入力され、無線ＬＡＮモジュール３１の作動によってアンテナ３２を介して情報が送信される。この情報はアクセスポイント８１を通って外部サーバ８２に送信される。この外部サーバ８２からは、当該外部サーバ８２に記録されているユーザの個人情報が送信され、この個人情報はアクセスポイント８１を通り、アンテナ３２によって受信され、パネルＰＣ２のコンピュータ本体２まで伝達される。この個人情報を基に推奨されるメニューの中から更にユーザが所望のプログラムを選択することによって、個々のユーザの状態に適し、かつ、ニーズにも即したエクササイズを選択することができる。
【００２７】
このようにパネルＰＣ２を作動させると、ＣＰＵの発熱により筺体７の内部が高温になるが、一定の温度になると筺体７に取り付けられた吸気ファン１０及び排気ファン１１が作動を開始する。そして外部の空気が通気口４３を通して副室７に流入される。ここで、高湿度の空気が通気口４３を通過する場合、内突部４５に衝突して凝固する。このため、副室７内部に流入する空気の湿度はある程度低減される。また、凝固した水滴は、内延部４５に沿って下に流れて副室７の外部に流出するため、副室７内部に水が溜まることがない。更に、筺体内外の空気を換気する吸気ファン１０と排気ファン１１と筺体外部との間には、下から上へと延びる縦方向部４８を含む通気路４７が設けられているため、筺体８に側部から水がかかるような場合であっても、水が筺体内部へ浸入しにくい。
【００２８】
更に、副室７に流入した空気は、図５において矢印Ｚで示すように通気路４７の縦方向部４８を通って下から上へ流れ、吸気ファン１０を通して主室上部６Ａに入り、その中を循環する。この際、パネＰＣ２自体も、防滴型であって水が浸入しにくい機構になっているため、パネルＰＣ２が水分によって故障する可能性は低い。そして主室６内を循環した空気は、パネルＰＣ２から放出された熱を奪い、排気ファン１１によって副室７に排気される。その後、その空気は、また通気口４３を通って外部に排気される。
【００２９】
以上、本形態の情報処理装置１によると、バッテリー５が内蔵されて電力が内部より供給され、かつ無線ＬＡＮモジュール及びアンテナによって外部サーバとの情報のやり取りが無線で行われるため、情報処理装置１から外部に延びる配線が存在しない。このため、配線の制約を受けることなく情報処理装置１を所望の場所に移動させることができ、運搬も容易である。また、運搬中や設置後に、ユーザ等が配線に引っかかったりすることもない。また、上述のように筺体８に側部から水がかかるような場合であっても、水が筺体内部へ浸入しにくいため、本形態の情報処理装置１は水場での使用にも適し、プールサイド等の水場で、各ユーザが個々に情報の入出力を行うことができ、ユーザに応じたエクスサイズメニューを提供することができる。
【００３０】
なお、本発明は、上述した形態に限定されることなく、種々の形態にて実施してよい。例えば、水場はプールサイドに限定されず、クアハウス、温泉施設、浴場等での使用も可能である。また、筺体８の後部に副室７を設ける構成ではなく、筺体のファンが取り付けられた部分にフードを被せることによって、下から上へと延びる縦方向部を含む通気路を設けてもよい。
【図面の簡単な説明】
【００３１】
【図１】本発明の情報処理装置を前から見た斜視図。
【図２】本発明の情報処理装置を後から見た斜視図。
【図３】主室上部にパネルＰＣを取り付ける前の状態を示した図。
【図４】主室上部とパネルとの固定方法を示した図。
【図５】主室上部及び副室の、吸気ファンを含む平面での概略断面図。
【図６】本形態の情報処理装置を使用したシステムの構成図。
【符号の説明】
【００３２】
１  情報処理装置
２  パネルＰＣ（コンピュータ）
３  モニタ（入力装置、タッチパネル）
４  無線線通信手段
５  バッテリー（電源装置）
６  主室
７  副室
８  筺体
１０  吸気ファン（換気手段）
１１  排気ファン（換気手段）
３１  無線ＬＡＮモジュール（無線通信手段）
３２  アンテナ（無線通信手段）
４２  副室後部側面（副室の側面）
４３  通気口
４４  下の部分
４５  内延部
４７  通気路
４８  縦方向部
【図１】
2007310771.tif 000003
【図２】
2007310771.tif 000004
【図３】
2007310771.tif 000005
【図４】
2007310771.tif 000006
【図５】
2007310771.tif 000007
【図６】
2007310771.tif 000008